(57)【要約】      （修正有）【課題】基板の固定を容易、かつ、確実に行うことができるテレビジョンおよび基板固定構造の提供。【解決手段】ネジ６０の頭部６１と前面キャビネット２０の前面とでプリント基板５４を前後に挟み込むことにより、リモコン受信基板５０を前面キャビネット２０に対して固定する。従って、プリント基板５４にネジ穴を形成する必要がないため、プリント基板５４の製造コストを低減するとともに、プリント基板５４のパターン設計の自由度を向上させることができる。また一本のネジ６０で固定することができるため、リモコン受信基板５０の取り付け作業を簡略化させることができる。また、剛性の高いネジ６０で直接リモコン受信基板５０を押さえ付けることができるため、固定後にリモコン受信基板５０がぐらついたりするようなこともない。【選択図】図８
0003111586.tif 000002
【実用新案登録請求の範囲】
【請求項１】
フロントキャビネットの前面に対して略垂直に取り付けられるリモコン受信基板と、
上記リモコン受信基板の実装面において発光方向および受光方向が前方となるように実装された発光素子とリモコン受光素子と、
上記フロントキャビネットの前面から後方に一対立設され、上記リモコン受信基板の両縁を外側から挟み込む略コの字状の基板ガイド部と、
上記リモコン受信基板の実装面における上記発光素子と上記リモコン受信素子との隙間部位に対して側面が略接触するように上記フロントキャビネットの前面から後方に一本立設された略筒状のネジ止めボスと、
上記リモコン受信基板を上記フロントキャビネットの前面と頭部に設けられたフランジ部とで挟み込むように上記ネジ止めボスに対して螺合されるネジとを具備することを特徴とするテレビジョン。
【請求項２】
キャビネットの壁面に対して略垂直に取り付けられるプリント基板と、
上記キャビネットの壁面から略垂直に一本立設された略筒状のネジ止めボスと、
上記プリント基板を上記キャビネットの壁面と頭部とで挟み込むように上記ネジ止めボスに対して螺合されるネジとを具備することを特徴とする基板固定構造。
【請求項３】
上記ネジ止めボスは、上記プリント基板の実装面における実装部品の隙間部位に対して側面が略接触することを特徴とする請求項２に記載の基板固定構造。
【請求項４】
上記プリント基板には、発光方向および受光方向が同プリント基板に対して平行となるように発光素子とリモコン受光素子とが実装されることを特徴とする請求項３に記載の基板固定構造。
【請求項５】
上記リモコン受信基板の両縁を外側から挟み込む略コの字状の基板ガイド部が上記キャビネットから略垂直に一対立設されることを特徴とする請求項２から請求項４のいずれかに記載の基板固定構造。
【請求項６】
上記ネジの頭部にはフランジ部が備えられ、同フランジ部と上記キャビネットの壁面とが上記プリント基板を挟み込むことを特徴とする請求項２から請求項５のいずれかに記載の基板固定構造。
【請求項７】
上記キャビネットの壁面には、上記実装部品が挿入される略筒状の部品ガイド部が立設されることを特徴とする請求項２から請求項６のいずれかに記載の基板固定構造。
【請求項８】
上記キャビネットの壁面には、上記プリント基板の縁部が挿入可能な溝が形成されることを特徴とする請求項２から請求項７のいずれかに記載の基板固定構造。
【考案の詳細な説明】
【技術分野】
【０００１】
本考案は、テレビジョンおよび基板固定構造に関する。
【背景技術】
【０００２】
従来、この種の基板固定構造として、筐体に対して押さえ板を２本のネジによって固定することにより、同押さえ板と筐体とでプリント基板を垂直に挟み込んで固定するものが知られている（例えば、特許文献１、参照。）。
かかる構成によれば、プリント基板に対してネジ止め用の穴を形成する必要がなくなり、同ネジ止め穴による同プリント基板の設計上の制約を解消することが可能であった。
【特許文献１】実開平５−７２１８６号
【考案の開示】
【考案が解決しようとする課題】
【０００３】
しかしながら、押さえ板を２本のネジによって固定しなければならず、プリント基板の固定作業が煩雑であるという課題があった。また、押さえ板を介してプリント基板の固定がなされるため、押さえ板がぐらついたり変形したりしてプリント基板の固定が不安定となるという問題もあった。
本考案は、上記課題にかんがみてなされたもので、基板の固定を容易、かつ、確実に行うことができるテレビジョンおよび基板固定構造の提供を目的とする。
【課題を解決するための手段】
【０００４】
上記目的を達成するため、請求項２にかかる考案では、キャビネットの壁面に対して略垂直に取り付けられるプリント基板と、上記キャビネットの壁面から略垂直に一本立設された略筒状のネジ止めボスと、上記プリント基板を上記キャビネットの壁面と頭部とで挟み込むように上記ネジ止めボスに対して螺合されるネジとを具備する構成としてある。
【０００５】
上記のように構成した請求項２の考案において、プリント基板がキャビネットの壁面に対して略垂直に取り付けられる。上記キャビネットの壁面から略垂直に略筒状のネジ止めボスが一本立設される。そして、ネジを上記ネジ止めボスに対して螺合することにより、同ネジの頭部と上記キャビネットの壁面とで上記プリント基板を挟み込んで固定する。かかる構成により、一本のネジによって上記プリント基板を直接固定することができる。
【０００６】
また、請求項３にかかる考案では、上記ネジ止めボスは、上記プリント基板の実装面における実装部品の隙間部位に対して側面が略接触する構成としてある。
上記のように構成した請求項３の考案において、上記プリント基板の実装面に対して上記ネジ止めボスの側面が略接触するため、上記ネジを同プリント基板の近い位置に螺合させることができる。従って、上記ネジの頭部を大型化しなくても、上記プリント基板を挟み込むことが可能となる。上記ネジ止めボスの側面が上記プリント基板の実装面に略接触して同プリント基板の姿勢を安定させることもできる。また、上記実装部品の隙間部位に上記ネジ止めボスが略接触するため、同実装部品と同ネジ止めボスとの干渉を避けることができる。
【０００７】
さらに、請求項４にかかる考案では、上記プリント基板には、発光方向および受光方向が同プリント基板に対して平行となるように発光素子とリモコン受光素子とが実装される構成としてある。
上記のように構成した請求項４の考案において、上記プリント基板に発光素子とリモコン受光素子とが実装される。そして、上記発光素子と上記リモコン受光素子の発光方向と受光方向が上記プリント基板と平行となる。これにより、上記キャビネットの壁面に対して略垂直に発光および受光を行わせることができ、同キャビネットに発光穴やリモコン受光穴を形成することが可能となる。
【０００８】
さらに、請求項５にかかる考案は、上記リモコン受信基板の両縁を外側から挟み込む略コの字状の基板ガイド部が上記キャビネットから略垂直に一対立設される構成としてある。
上記のように構成した請求項５の考案において、上記キャビネットから略コの字状の基板ガイド部が略垂直に一対立設され、同基板ガイド部によって上記リモコン受信基板の両縁が外側から挟み込まれる。これにより、上記プリント基板の姿勢を安定させることができる。
【０００９】
また、請求項６にかかる考案は、上記ネジの頭部にはフランジ部が備えられ、同フランジ部と上記キャビネットの壁面とが上記プリント基板を挟み込む構成としてある。
上記のように構成した請求項６の考案において、上記ネジの頭部にはフランジ部が備えられる。そして、上記プリント基板が上記フランジ部と上記キャビネットの壁面とによって挟み込まれる。上記フランジ部によれば広い面積で上記プリント基板を挟み込むことができる。
【００１０】
また、請求項７にかかる考案は、上記キャビネットの壁面には、上記実装部品が挿入される略筒状の部品ガイド部が立設される構成としてある。
上記のように構成した請求項７の考案において、上記実装部品が挿入される略筒状の部品ガイド部が上記キャビネットの壁面に立設される。上記部品ガイド部に上記実装部品を挿入することにより、上記プリント基板の姿勢を安定させることができる。
【００１１】
さらに、請求項８にかかる考案は、上記キャビネットの壁面には、上記プリント基板の縁部が挿入可能な溝が形成される構成としてある。
上記のように構成した請求項８の考案において、上記プリント基板の縁部が挿入可能な溝が上記キャビネットの壁面に形成される。これにより、上記プリント基板の縁部を固定し、上記プリント基板の姿勢を安定させることができる。
【００１２】
以上の構成を踏まえたうえで、請求項１の考案は、フロントキャビネットの前面に対して略垂直に取り付けられるリモコン受信基板と、上記リモコン受信基板の実装面において発光方向および受光方向が前方となるように実装された発光素子とリモコン受光素子と、上記フロントキャビネットの前面から後方に一対立設され、上記リモコン受信基板の両縁を外側から挟み込む略コの字状の基板ガイド部と、上記リモコン受信基板の実装面における上記発光素子と上記リモコン受信素子との隙間部位に対して側面が略接触するように上記フロントキャビネットの前面から後方に一本立設された略筒状のネジ止めボスと、上記リモコン受信基板を上記フロントキャビネットの前面と頭部に設けられたフランジ部とで挟み込むように上記ネジ止めボスに対して螺合されるネジとを具備する構成としてある。
このような、より具体的な構成において上述した請求項２〜請求項８の各考案と同様の作用を奏することは言うまでもない。
【考案の効果】
【００１３】
以上説明したように請求項１および請求項２の考案によれば、基板の固定を容易、かつ、確実に行うことができるテレビジョンおよび基板固定構造を提供することができる。
請求項３の考案によれば、プリント基板の姿勢を安定させるとともに、ネジを小型化することができる。
請求項４の考案によれば、リモコン受信基板をキャビネットに対して容易、かつ、確実に固定することができる。
【００１４】
請求項５の考案によれば、プリント基板の姿勢を安定させることができる。
請求項６の考案によれば、確実にプリント基板を挟み込むことができる。
請求項７の考案によれば、プリント基板の姿勢を安定させることができる。
請求項８の考案によれば、簡易な構成によりプリント基板の姿勢を安定させることができる。
【考案を実施するための最良の形態】
【００１５】
ここでは、下記の順序に従って本考案の実施形態について説明する。
（１）液晶テレビジョンの全体構成：
（２）基板固定構造について：
（３）変形例：
（４）まとめ：
【００１６】
（１）液晶テレビジョンの全体構成：
以下、本考案の一実施形態にかかるパネル表示テレビジョンとしての液晶テレビジョンについて説明する。図１は、液晶テレビジョンを正面から見て示している。同図において、液晶テレビジョン１０は、キャビネット１１と表示パネルとしての液晶パネル３０と脚部７０とから構成されている。キャビネット１１の前方部分を構成する前面キャビネット２０の中央部に窓部２１が形成されており、同前面キャビネット２０は矩形枠状となっている。
【００１７】
そして、窓部２１から前面キャビネット２０の背面側に配置された液晶パネル３０が前方に露出している。前面キャビネット２０の下部には、電源操作やチャンネル操作を行うための操作スイッチ２７が備えられている。また、操作スイッチ２７の側方には電源ＬＥＤ穴２８と受光穴２９が幅方向に並んで形成されている。また、脚部７０は、キャビネット１１を支持しており、それにより液晶テレビジョン１０が正立し、液晶パネル３０の表示面が略鉛直に配向させられている。なお、以下の説明において特別に示さない限り、液晶テレビジョン１０の正立時における方向を基準として説明を行うものとする。
【００１８】
図２は、液晶テレビジョン１０を分解した様子を側方から見て示している。同図において、キャビネット１１の前方部分を構成する前面キャビネット２０と後方部分を構成する背面キャビネット８０とが前後に配置され、これらによって挟み込まれる位置に液晶ユニット４０が配置されている。液晶ユニット４０の前面側に液晶パネル３０が表示面を前方に露出するように取り付けられている。一方、液晶ユニット４０の後方に金属製の保護カバー３２が取り付けられている。保護カバー３２は、液晶ユニット４０に取り付けられた液晶パネル３０の背面側を保護するとともに、同背面側に備えられるバックライト等の各種電装部材を内側に収容している。保護カバー３２の後方には映像出力基板３４が備えられている。映像出力基板３４の映像出力端子はフラットケーブル３５を介して液晶パネル３０と接続している。
【００１９】
液晶ユニット４０の後方には、チューナ基板３７も備えられており、アンテナ入力やコンポジット入力等の入力端子３７ａを側方に配向させている。また、チューナ基板３７の紙面奥方には電源基板３６が備えられており、電源ケーブル３８から供給された電源を液晶テレビジョン１０の各部にて使用可能な電源に変換しつつ、同各部に出力している。以上のように、液晶ユニット４０には予め各種部材３０，３２，３４，３５，３６が組み付けられているため、これらを一体的に取り扱うことができる。
【００２０】
図３は、前面キャビネット２０を後方から見て示している。同図において、前面キャビネット２０は略矩形枠状に形成されており、中央を肉抜きすることにより矩形状の窓部２１が形成されている。窓部２１の幅および高さは液晶パネル３０の幅および高さよりもわずかに小さく形成されている。窓部２１の下方の操作スイッチ２７を後方から覆うようにスイッチ基板２３がネジ止めよって取り付けられている。スイッチ基板２３の前方には操作スイッチ２７に対応したタクトスイッチが実装されているため、操作スイッチ２７の操作状態を検出することが可能となっている。
【００２１】
また、スイッチ基板２３の側方にはリモコン受信基板５０が取り付けられている。リモコン受信基板５０の上方の実装面には、リモコン受光素子５１と電源ＬＥＤ５２とコネクタ５３とが実装されている。リモコン受信基板５０は略水平となるように取り付けられており、前面キャビネット２０の前方壁面に対しては略垂直とされている。リモコン受光素子５１は、受光穴２９を介して外部から赤外線リモコン信号を受光し、同赤外線に応じた電気信号を生成する光電素子である。なお、外部から赤外線のみを透過させる偏光フィルタはリモコン受光素子５１に取り付けてもよいし、受光穴２９に取り付けてもよい。リモコン受光素子５１にて生成された電気信号はコネクタ５３を介して液晶ユニット４０の各種制御基板に出力される。電源ＬＥＤ５２はコネクタ５３を介して駆動電流を入力して発光する発光素子である。電源ＬＥＤ５２にて発光した光は電源ＬＥＤ穴２８を介して外部に放出される。
【００２２】
（２）基板固定構造について：
次に、リモコン受信基板５０の固定構造について詳細に説明する。図４は、前面キャビネット２０におけるリモコン受信基板５０が取り付けられる部位を斜めから見て示している。同図において、上述した電源ＬＥＤ穴２８と受光穴２９とが並んで形成されている。なお、受光穴２９には赤外線のみを透過させる偏光フィルタが取り付けられていてもよい。電源ＬＥＤ穴２８と受光穴２９の左右外側に一対の基板ガイド部２４，２４が前面キャビネット２０の前面から垂直に立設されている。基板ガイド部２４，２４は、それぞれ断面が略コの字状のレールであり、同レールの内側を幅方向内側に互いに向かい合わせている。基板ガイド部２４，２４は前面キャビネット２０の前面から後方に向かって垂直に立設されているため、レールの形成方向は前後方向となる。
【００２３】
基板ガイド部２４，２４の幅方向中央位置には、略円筒状のネジ止めボス２５が前面キャビネット２０の前面から垂直に立設されている。ネジ止めボス２５の内径壁面には、ネジ山が形成されており、ネジ止めボス２５に対してネジを螺合することが可能となっている。ネジ止めボス２５は前面キャビネット２０の前面から後方に向かって垂直に立設されているため、ネジを螺合方向は後方から前方に向かう方向となる。
【００２４】
図５および図６は、リモコン受信基板５０を前方および側方から見て示している。同図において、略板状のプリント基板５４の上面を構成する実装面にリモコン受光素子５１と電源ＬＥＤ５２とコネクタ５３とを実装することにより、リモコン受信基板５０が形成されている。リモコン受光素子５１と電源ＬＥＤ５２とコネクタ５３は、それぞれ下方に向かってリードが延出されており、各リードがプリント基板５４に形成された図示しない貫通穴を貫通し、プリント基板５４の下面の半田５１ａ，５２ａ，５３ａによって半田付けされている。
【００２５】
リモコン受光素子５１と電源ＬＥＤ５２の各リードは、リモコン受光素子５１と電源ＬＥＤ５２からリモコン受光素子５１に対して平行に延出されており、所定の長さで下方に向かって垂直に屈曲されている。そして、このリードの下方部分をプリント基板５４に垂直に貫通させ半田付けを行うことにより、リモコン受光素子５１と電源ＬＥＤ５２とをプリント基板５４に対して略平行に実装することができる。なお、リモコン受光素子５１と電源ＬＥＤ５２のみが実装されたリモコン受信基板５０を個別に形成することにより、リモコン受光素子５１と電源ＬＥＤ５２の配置の設計変更に柔軟に対応することができる。
【００２６】
リモコン受光素子５１はプリント基板５４に実装された状態において、赤外線が入射可能な受光部を前方に配向させ、受光方向が前方となっている。同様に、電源ＬＥＤ５２もプリント基板５４に実装された状態において、発光方向を前方に配向させている。リモコン受光素子５１と電源ＬＥＤ５２の受光部と発光部の前後位置は、それぞれプリント基板５４の前方縁部とほぼ同じとなっている。また、リモコン受光素子５１と電源ＬＥＤ５２との間には幅方向の隙間が設けられており、同隙間においてリモコン受信基板５０が平坦となっている。
【００２７】
図７は、前面キャビネット２０にリモコン受信基板５０が取り付けられる様子を示している。同図において、左右の基板ガイド部２４，２４に両縁が外側から挟み込まれるようにして、リモコン受信基板５０が基板ガイド部２４，２４の内側に後方から前方に向かって差し込まれている。基板ガイド部２４，２４が幅方向に向かい合う間隔は、プリント基板５４の幅よりわずかに大きくされているため、プリント基板５４の両縁を基板ガイド部２４，２４の内側に摺接させつつ、リモコン受信基板５０の挿入をガイドすることができる。また、リモコン受信基板５０を挿入する際に、ネジ止めボス２５の側面は、リモコン受信基板５０におけるリモコン受光素子５１と電源ＬＥＤ５２との間に設けられた隙間に対して摺接する。従って、ネジ止めボス２５によってもリモコン受信基板５０の挿入をガイドすることができる。なお、リモコン受光素子５１と電源ＬＥＤ５２の受光部と発光部がそれぞれ前方に向かう方向でリモコン受信基板５０が挿入される。
【００２８】
図８は、リモコン受信基板５０の取り付けが完了した様子を示している。同図において、プリント基板５４の縁部が前面キャビネット２０の前面に突き当たるまで、リモコン受信基板５０が挿入されている。このとき、リモコン受光素子５１と電源ＬＥＤ５２の受光部と発光部がそれぞれ受光穴２９と電源ＬＥＤ穴２８に到達する。すなわち、リモコン受光素子５１の受光部が受光穴２９から前方に臨み、前方から発振された赤外線リモコン信号を受光することが可能となる。同様に、電源ＬＥＤ５２の発光部が電源ＬＥＤ穴２８から前方に臨み、前方の視聴者から電源ＬＥＤ５２の発光状態が視認可能となる。
【００２９】
プリント基板５４の前後の長さと、ネジ止めボス２５の高さとが同等とされている。従って、ネジ６０の頭部６１がネジ止めボス２５の先端に到達するまでネジ６０を螺合させることにより、ネジ６０の頭部６１によってプリント基板５４の後方縁部を前方に向かって押さえ付けることができる。一方、プリント基板５４の前方縁部は前面キャビネット２０の前面に突き当たっているため、ネジ６０の頭部６１と前面キャビネット２０の前面とでプリント基板５４を前後に挟み込んで固定することが可能となっている。また、基板ガイド部２４，２４がプリント基板５４を挟み込んでいるため、プリント基板５４は左右方向にも上下方向にも拘束されている。従って、リモコン受信基板５０を完全に固定することができる。
【００３０】
さらに、ネジ６０の頭部６１の下方部分を広径に延設することによりフランジ部６２が設けられている。従って、フランジ部６２によってプリント基板５４の後方縁部を広く押さえつけることができるため、リモコン受信基板５０を安定して固定することができる。また、ネジ６０は金属で形成されているため剛性が高く、リモコン受信基板５０がぐらついたりすることもない。さらに、取り付け後においても、ネジ止めボス２５がリモコン受信基板５０に略接触するため、リモコン受信基板５０の姿勢を安定して維持することができる。また、一本のネジ６０によってリモコン受信基板５０の固定を完了させることができ、取り付け作業を効率よく行うことができる。また、プリント基板５４にネジ穴を形成する必要がないため、プリント基板５４の製造コストを低減するとともに、プリント基板５４のパターン設計の自由度を向上させることができる。
【００３１】
ところで、ネジ６０の頭部６１の最外径がプリント基板５４の後方縁部に到達しない場合には、プリント基板５４をネジ６０の頭部６１によって押さえつけることはできない。しかし、ネジ止めボス２５はプリント基板５４に摺接する位置に形成されており、ネジ止めボス２５とプリント基板５４とが近接しているため、ネジ６０の頭部６１を大型化しなくてもプリント基板５４をネジ６０の頭部６１によって押さえつけることができる。また、ネジ止めボス２５は、リモコン受信基板５０におけるリモコン受光素子５１と電源ＬＥＤ５２との間に設けられた隙間に配置されているため、リモコン受光素子５１と電源ＬＥＤ５２に阻害されることなくネジ止めボス２５とプリント基板５４とを近接させることができる。
【００３２】
（３）変形例：
図９は、変形例にかかる前面キャビネット２０にリモコン受信基板５０が取り付けられる様子を示している。同図において、前面キャビネット２０の前面からネジ止めボス２５が立設され、ネジ止めボス２５の側方には略筒状の部品ガイド部２７ａ，２７ａが立設されている。一方の部品ガイド部２７ａは、略矩形筒状に形成されており、内部がリモコン受光素子５１の外形よりわずかに大きい形状となっている。もう一方の部品ガイド部２７ａは、略円筒状に形成されており、内部が電源ＬＥＤ５２の外形よりわずかに大きい形状となっている。前面キャビネット２０の前面においてプリント基板５４の前方縁部が突き当たる部位には、プリント基板５４の前方縁部を侵入可能な線状の溝２６が形成されている。そして、溝２６の深さとネジ止めボス２５の高さとの合計が、プリント基板５４の前後の長さと同じとなっている。
【００３３】
かかる構成において、部品ガイド部２７ａ，２７ａにそれぞれリモコン受光素子５１と電源ＬＥＤ５２を挿入させるとともに、ネジ止めボス２５の側面にリモコン受信基板５０を摺接させながら、プリント基板５４の前方縁部を溝２６に侵入させることができる。そして、プリント基板５４の前方縁部が溝２６に侵入した状態において、ネジ６０の頭部６１がネジ止めボス２５の先端に到達するまでネジ６０を螺合させることにより、ネジ６０の頭部６１によってプリント基板５４の後方縁部を前方に向かって押さえ付けることができる。従って、ネジ６０の頭部６１と前面キャビネット２０の前面とでプリント基板５４を前後に挟み込んで固定することが可能となっている。
【００３４】
さらに、プリント基板５４の前方縁部が溝２６に侵入しているため、同前方縁部が上下左右に移動することが防止できる。また、部品ガイド部２７ａ，２７ａにそれぞれリモコン受光素子５１と電源ＬＥＤ５２とが挿入されているため、リモコン受光素子５１と電源ＬＥＤ５２が動くことも規制される。従って、リモコン受信基板５０を完全に固定することができる。本変形例においては、リモコン受信基板５０をガイドするレールを立設する必要がないため、前面キャビネット２０のスペースを有効に利用することができる。
【００３５】
（４）まとめ：
以上説明したように、本考案において、ネジ６０の頭部６１と前面キャビネット２０の前面とでプリント基板５４を前後に挟み込むことにより、リモコン受信基板５０を前面キャビネット２０に対して固定する。従って、プリント基板５４にネジ穴を形成する必要がないため、プリント基板５４の製造コストを低減するとともに、プリント基板５４のパターン設計の自由度を向上させることができる。また一本のネジ６０で固定することができるため、リモコン受信基板５０の取り付け作業を簡略化させることができる。また、剛性の高いネジ６０で直接リモコン受信基板５０を押さえ付けることができるため、固定後にリモコン受信基板５０がぐらついたりするようなこともない。
【図面の簡単な説明】
【００３６】
【図１】本考案の一実施形態にかかる液晶テレビジョンの正面図である。
【図２】液晶テレビジョンの分解側面図である。
【図３】前面キャビネットの背面図である。
【図４】前面キャビネットの背面斜視図である。
【図５】リモコン受信基板の正面図である。
【図６】リモコン受信基板の側面図である。
【図７】リモコン受信基板を取り付ける際の前面キャビネットの背面斜視図である。
【図８】リモコン受信基板を取り付けた後の前面キャビネットの背面斜視図である。
【図９】変形例にかかる前面キャビネットの背面斜視図である。
【符号の説明】
【００３７】
１０…液晶テレビジョン
１１…キャビネット
２０…前面キャビネット
２１…窓部
２３…スイッチ基板
２４…基板ガイド部
２５…ネジ止めボス
２６…溝
２７…操作スイッチ
２７ａ…部品ガイド部
２８…電源ＬＥＤ穴
２９…受光穴
３０…液晶パネル
５０…リモコン受信基板
５１…リモコン受光素子
５２…電源ＬＥＤ５２
５３…コネクタ
５４…プリント基板
６０…ネジ
６１…頭部
６２…フランジ部
７０…脚部
８０…背面キャビネット
【図１】
0003111586.tif 000003
【図２】
0003111586.tif 000004
【図３】
0003111586.tif 000005
【図４】
0003111586.tif 000006
【図５】
0003111586.tif 000007
【図６】
0003111586.tif 000008
【図７】
0003111586.tif 000009
【図８】
0003111586.tif 000010
【図９】
0003111586.tif 000011